(57)【要約】【課題】事前精算機を備え、出場判定機と係員による料金徴収を併用する駐車場において、追徴金が発生する場合でも出場をスムーズにできる出場処理装置を提供する。【解決手段】駐車場１の出口２の料金徴収所５に、利用者が挿入する駐車券類の記録情報を読込んで駐車料金が精算済みか未精算かを判定する判定機能と出場ゲート６の開閉機能を有する利用者用ユニット１２と、利用者用ユニット１２で未精算判定したときに利用者用ユニット１２からの伝送情報に基づいて未精算金額を計算する係員用ユニット１１とを備え、係員用両ユニット１１にディスプレイ２３を、利用者用ユニット１２に時刻・料金表示部３３をそれぞれ設け、利用者と係員の双方に未精算金額を表示できるよう構成した。【選択図】  図１
2005031969.tif 000002
【特許請求の範囲】
【請求項１】
駐車券類の挿入により駐車料金を精算し精算済みを示す情報を駐車券類に書込んで返却する事前精算機を駐車場出口から離れた場所に備えると共に、料金未精算の利用者から駐車料金を徴収する係員を前記駐車場出口の料金徴収所に配置した駐車場の出場処理装置であって、
券挿入部から挿入された前記駐車券類から記録情報を読込む券処理部と、
該券処理部で読込んだ前記記録情報に基づいて駐車料金が精算済みか未精算かを判定する判定部と、
該判定部で未精算と判定したときに前記読込んだ記録情報に基づいて未精算金額を計算する料金計算部と、
該料金計算部が計算した未精算金額を表示する複数の表示部と、
前記判定部で精算済みと判定したとき又は前記未精算金額を利用者から徴収して係員が精算完了操作したときに、出場ゲートを開制御するゲート制御部と、を備え、
前記券挿入部及び前記複数の表示部の一方を、前記料金徴収所の外側に配置する構成としたことを特徴とする駐車場の出場処理装置。
【請求項２】
前記判定部は、前記駐車券類が前記事前精算機により精算済みか否かを判定し、精算済みと判定したときは現在時刻と前記事前精算機で記録された精算時刻から予め設定した出場猶予時間が超過しているか否かを判定し、超過していれば未精算と判定する構成である請求項１に記載の駐車場の出場処理装置。
【請求項３】
前記料金計算部は、前記事前精算機で精算処理されていない駐車券類では、現在時刻と駐車券類に記録された入場時刻に基づいて算出した駐車時間に応じて駐車料金を計算し、前記出場猶予時間の超過している駐車券類では、前記精算時刻から現在時刻までの超過時間に応じた未精算分の駐車料金を計算する構成である請求項２に記載の駐車場の出場処理装置。
【請求項４】
互いに情報伝送可能に接続した係員用ユニットと利用者用ユニットとを設け、各ユニットに前記表示部をそれぞれ設ける構成とした請求項１〜３のいずれか１つに記載の駐車場の出場処理装置。
【請求項５】
前記係員用ユニット側に前記料金計算部を設ける構成とした請求項４に記載の駐車場の出場処理装置。
【請求項６】
前記利用者用ユニット側に前記料金計算部を設ける構成とした請求項４に記載の駐車場の出場処理装置。
【発明の詳細な説明】
【０００１】
【発明の属する技術分野】
本発明は、駐車場出口から離れた場所に事前精算機を備えると共に、料金未精算の利用者から駐車料金を徴収する係員を駐車場出口の料金徴収所に配置する駐車場の出場処理装置に関する
【０００２】
【従来の技術】
駐車場の出場管理形態として、駐車場からの出場をスムーズに行うために、駐車場出口に出場判定機を設置し、出場判定機で出場の可否判定処理を行い、出場条件を満たした利用者であれば出場ゲートを開放することで、料金精算せずに車両を出場させるものがある（例えば、特許文献１参照）。
【０００３】
ところで、このように駐車場からの出場をスムーズに行うための出場判定機を利用する出場管理形態として、駐車場出口に出場判定機と係員を配置した料金徴収所を併設するものが従来からある。
【０００４】
図６に、かかる出場管理形態の駐車場の概略構成を示す。
駐車場１の出口２から離れた場所に事前精算機３を設置する一方、駐車場１の出口２には、出場判定機４と、係員を配置した料金徴収所５と、出場ゲート６を設ける。
【０００５】
駐車場を出場する際は、事前精算機３で精算済みの利用客の場合は、事前精算機３で精算完了情報が記録されて返却された例えば駐車券を出場判定機４に挿入し、駐車券の記録情報に基づいて出場判定機４が出場可否の判定処理を行い、出場ゲート６を開放する。一方、事前精算機３で精算処理していない利用客の場合は、料金徴収所５の係員に駐車券を手渡し、係員が料金徴収所５に設備した計算機７で駐車券の記録情報を読取り駐車料金を計算し、係員が徴収して出場ゲートを開放する。
【０００６】
【特許文献１】
特開平１０−１９８８２９号公報
【０００７】
【発明が解決しようとする課題】
ところで、上述のような事前精算機３で事前に精算して出場するシステムでは、精算してから出場するまで時間的なずれがある。このため、出場猶予時間を予め設定し、事前精算機３で精算済み情報に加えて精算時刻を駐車券に記録し、出場判定機では、精算済みか否かと共に精算時刻と現在時刻から出場猶予時間が超過しているか否かを判定して出場の可否を判定している。このため、精算済みでも出場猶予時間が超過した場合は追徴金が発生し、再度精算が必要となる。このような場合、従来では、利用者が出場判定機４に駐車券を挿入すると、未精算と判定されて駐車券が返却され、返却された駐車券を料金徴収所５の係員に手渡して計算機７で精算することになる。このため、利用者にとっては出場判定機４に駐車券を挿入した後、また、駐車券を係員に手渡さなければならず、二度手間になり煩わしいという問題がある。
【０００８】
本発明は上記問題点に着目してなされたもので、時間超過により追徴金が発生するような場合でも、駐車券類の挿入動作だけで出場を可能とする駐車場の出場処理装置を提供することを目的とする。
【０００９】
【課題を解決するための手段】
このため、請求項１の発明では、駐車券類の挿入により駐車料金を精算し精算済みを示す情報を駐車券類に書込んで返却する事前精算機を駐車場出口から離れた場所に備えると共に、料金未精算の利用者から駐車料金を徴収する係員を前記駐車場出口の料金徴収所に配置した駐車場の出場処理装置であって、券挿入部から挿入された前記駐車券類から記録情報を読込む券処理部と、該券処理部で読込んだ前記記録情報に基づいて駐車料金が精算済みか未精算かを判定する判定部と、該判定部で未精算と判定したときに前記読込んだ記録情報に基づいて未精算金額を計算する料金計算部と、該料金計算部が計算した未精算金額を表示する複数の表示部と、前記判定部で精算済みと判定したとき又は前記未精算金額を利用者から徴収して係員が精算完了操作したときに、出場ゲートを開制御するゲート制御部と、を備え、前記券挿入部及び前記複数の表示部の一方を、前記料金徴収所の外側に配置する構成とした。
【００１０】
かかる構成では、利用者が券挿入部に駐車券類を挿入すると、券処理部が駐車券類に記録された記録情報を読込む。判定部は、券処理部が読込んだ記録情報に基づいて精算済みか未精算かを判定する。判定部で精算済みと判定したときはゲート制御部により出場ゲートを開制御して出場を許可する。判定部で未精算と判定したときは料金精算部が読込んだ記録情報に基づいて未精算金額を計算し、それぞれの表示部に未精算金額を表示し、一方の表示部で係員の知らせ、料金徴収所の外側に設けた表示部で利用者に知らせる。表示された未精算金額を利用者が係員に支払い精算が完了すると、係員が精算完了の操作を行う。これにより、ゲート制御部により出場ゲートを開制御して出場を許可する。
【００１１】
前記判定部は、具体的には請求項２のように、前記駐車券類が前記事前精算機により精算済みか否かを判定し、精算済みと判定したときは現在時刻と前記事前精算機で記録された精算時刻から予め設定した出場猶予時間が超過しているか否かを判定し、超過していれば未精算と判定する構成とするとよい。
【００１２】
かかる構成では、事前精算機で精算されていても、出場猶予時間を超過している利用者に対して未精算と判定する。
前記料金計算部は、具体的には請求項３のように、前記事前精算機で精算処理されていない駐車券類では、現在時刻と駐車券類に記録された入場時刻に基づいて算出した駐車時間に応じて駐車料金を計算し、前記出場猶予時間の超過している駐車券類では、前記精算時刻から現在時刻までの超過時間に応じた未精算分の駐車料金を計算する構成とするとよい。
【００１３】
かかる構成では、事前精算機で精算処理されていない駐車券類の駐車料金及び出場猶予時間の超過している駐車券類の未精算分を自動的に計算できるようになる。
【００１４】
請求項４の発明では、互いに情報伝送可能に接続した係員用ユニットと利用者用ユニットとを設け、各ユニットに前記表示部をそれぞれ設ける構成とした。
かかる構成では、係員用ユニットと利用者用ユニットで構成することにより、各ユニットをコンパクトな構成にでき、出場処理装置全体をコンパクトにできる。そして、各ユニットの表示部で係員と利用者の両方に未精算金額を表示できるようになる。
【００１５】
請求項５のように、前記係員用ユニット側に前記料金計算部を設ける構成としてもよく、また、請求項６のように、前記利用者用ユニット側に前記料金計算部を設ける構成としてもよい。
【００１６】
【発明の実施の形態】
以下、本発明の実施形態を図面に基づいて説明する。
図１に、本発明に係る駐車場の出場処理装置の第１実施形態を適用した駐車場の概略図を示す。尚、図６に示す従来例と同一要素には同一符号を付してある。
【００１７】
図１において、本実施形態の駐車場１は、出口２から離れた場所に事前精算機３を設置する一方、駐車場１の出口２には、係員を配置した料金徴収所５と、出場ゲート６と、出場ゲート６のゲートバーを挟んで駐車場１内外に埋設された一対のループコイル８ａ，８ｂからなる車両検知センサ８とが、従来と同様に設けられている。そして、料金徴収所５に、本実施形態の出場処理装置１０が設備されている。
【００１８】
前記出場処理装置１０は、料金徴収所５の係員が操作する係員用ユニット１１と、利用者が例えば駐車券や定期券等の駐車券類を挿入するための利用者用ユニット１２と備えて構成される。
【００１９】
係員用ユニット１１及び利用者用ユニット１２の構成を図２に示し説明する。
係員用ユニット１１は、プリンタ２１と、時計ユニット２２と、表示部としてのディスプレイ２３と、キーボード２４と、ＲＡＭ２５と、ＲＯＭ２６と、制御部２７と、Ｉ／Ｏユニット２８と、データ通信部２９とを含んで構成されている。
【００２０】
前記プリンタ２１は、キーボード２４に設けられた領収書釦を係員が操作したときに領収書等を印字発行するものである。前記時計ユニット２２は、現在時刻を計時するものである。前記ディスプレイ２３は、計算された未精算金額を係員に表示するためのものである。前記キーボード２４は、領収書釦、精算完了時に操作する現計釦及びテンキー等を備え、係員が操作するものである。前記ＲＡＭ２５は、例えば処理データ等を記憶するものであり、前記ＲＯＭ２６は、例えば制御部２７の動作を制御するためのプログラムや駐車料金を算出するための計算式等を格納したものである。前記制御部２７は、プリンタ２１、ディスプレイ２３、ＲＡＭ２５及びデータ通信部２９の動作を統括的に制御するもので、例えばＣＰＵ等の演算装置から成る。そして、制御部２７は、後述のフローチャートで説明するように利用者用ユニット１２からの情報や計時ユニット２２の時刻情報等に基づいて未精算の駐車料金を計算するもので、料金計算部としての機能を備える。前記Ｉ／Ｏユニット２８は、ディスプレイ２３及びキーボード２４と制御部１２との間の信号の入出力を制御するものである。前記データ通信部２９は、利用者用ユニット１２との間でデータ通信するためのものである。
【００２１】
利用者用ユニット１２は、計時ユニット３１と、券処理部としての券処理ユニット３２と、表示部としての時刻・料金表示部３３と、音声案内ユニット３４と、券搬送ユニット３５と、ＲＡＭ３６と、ＲＯＭ３７と、制御部３８と、Ｉ／Ｏユニット３９と、データ通信部４０とを含んで構成されている。
【００２２】
前記時計ユニット３１は、現在時刻を計時するものである。前記券処理ユニット３２は、挿入された駐車券類の記録情報を読込むものである。前記時刻・料金表示部３３は、計算された未精算金額や現在時刻を利用者に表示するものである。音声案内ユニット３４は、利用者に各種の案内放送をするためのものである。前記券搬送ユニット３５は、券挿入部３５Ａ（図３参照）から挿入された駐車券類を利用者用ユニット１２内の券処理ユニット３２まで搬送するためのものである。前記ＲＡＭ３６は、例えば処理データ等を記憶するものであり、前記ＲＯＭ３７は、例えば制御部３８の動作を制御するためのプログラム等を格納したものである。前記制御部３８は、券処理ユニット３２、時刻・料金表示部３３、音声案内ユニット３４、券搬送ユニット３５、ＲＡＭ３６、データ通信部４０及び出場ゲート６の動作を統括的に制御するもので、例えばＣＰＵ等の演算装置から成る。そして、制御部３８は、後述のフローチャートで説明するように駐車券類の記録情報に基づいて駐車料金が精算済みか未精算かを判定すると共に、精算済みの判定時又は係員用ユニット１１において係員が現計釦を押下した時、即ち、精算完了操作したときに出場ゲート６を開制御するもので、判定部及びゲート制御部としての機能を備える。前記Ｉ／Ｏユニット３９は、時刻・料金表示部３３、音声案内ユニット３４、券搬送ユニット３５、車両検知センサ８及び出場ゲート６と制御部３８の間の信号の入出力を制御するものである。前記データ通信部４０は、係員用ユニット１１との間でデータ通信するためのものである。
【００２３】
この利用者用ユニット１２の時刻・料金表示部３３、音声案内ユニット３４及び券搬送ユニット３５の券挿入部３５Ａは、図３に示すように料金徴収所５の外側で、利用者が駐車券類を挿入し易く未精算金額等の表示が確認し易い位置に設ける。
【００２４】
次に、本実施形態の出場処理装置の動作を図４のフローチャートを参照して説明する。
ステップ１（図中Ｓ１で示し、以下同様とする）で、車両検知センサ８からの出力状態に基づいて車両が検知されたか否かを判定する。ループコイル８ａが車両を検知すると判定がＹＥＳとなりステップ２に進む。
【００２５】
ステップ２で、音声案内ユニット３４により利用者に対して駐車券挿入の案内放送を行う。
ステップ３で、駐車券が挿入されたか否かを判定する。利用者が券挿入部３５ａに駐車券を挿入し券搬送ユニット３５のセンサが駐車券を検知すると、判定がＹＥＳとなり、ステップ４に進む。このとき、券搬送ユニット３５を駆動して駐車券を券処理ユニット３２まで搬送する。
【００２６】
ステップ４で、券処理ユニット３２が駐車券の記録情報を読取り、精算済みか未精算かを判定する。このとき、事前精算機３による精算情報が記録されていれば精算済みと判定してステップ５に進み、事前精算機３による精算情報が記録されていなければ未精算と判定して後述するステップ１１に進む。
【００２７】
ステップ５では、事前精算機３で精算処理したときに精算情報として記録される精算時刻と計時ユニット３１の現在時刻とから、出場猶予時間内か否かを判定し、時間内であればステップ６に進み、時間を超過していれば未精算と判定してステップ１１に進む。
【００２８】
ステップ６で、駐車券の磁気記録及び表示情報を消去し、利用者用ユニット１２内の回収部に回収する。尚、磁気記録及び表示情報を消去しなくともよい。
ステップ７で、音声案内ユニット３４により利用者に対して出場案内の放送を行う
ステップ８で、出場ゲート６に対してゲート開指令を出力する。これにより、出場ゲート６の駆動部がゲートバーを開駆動してゲートバーが開となる。
【００２９】
ステップ９で、車両検知センサ８のループコイル８ｂの出力状態に基づいて車両が通過したか否かを判定し、通過と判定するとステップ１０に進む。
ステップ１０で、ゲートバー閉指令を出力する。これにより、出場ゲート６の駆動部がゲートバーを閉駆動してゲートバーが閉となる。
【００３０】
一方、ステップ４又はステップ５で、ＮＯと判定された場合は、ステップ１１で、利用者用ユニット１２から係員用ユニット１１にデータ通信部４０、２９を介して未精算金額計算用のデータが送信され、係員用ユニット１１側で未精算の駐車料金の計算を行う。この場合、事前精算されていない駐車券（ステップ４でＮＯと判定された駐車券）では、駐車券に記録された入場時刻と計時ユニット２２の現在時刻とから駐車時間を算出し、この駐車時間に応じて駐車料金を計算する。また、事前精算済みではあるが出場猶予時間を超過している駐車券（ステップ５でＮＯと判定された駐車券）では、駐車券に記録された精算時刻と計時ユニット２２の現在時刻とから超過時間を算出し、この超過時間に応じた追徴金を計算するか、又は、駐車券に記録された入場時刻と計時ユニット２２の現在時刻とから駐車時間を計算して駐車料金を計算し、入場時刻と精算時刻とから計算される徴収金額を前記駐車時間から減算することにより超過時間に応じた追徴金を計算する。
【００３１】
ステップ１２では、ステップ１１で計算された未精算金額をディスプレイ２３及び時刻・料金表示部３３にそれぞれ表示し、係員と利用者の双方が確認できるようにする。また、音声案内ユニット３４で利用者に対して精算案内の放送を行う。
【００３２】
ステップ１３で、現計釦が押下されたか否かを判定する。係員が利用者から未精算金額を徴収して係員が現計釦を押下すると判定がＹＥＳとなりステップ１４に進む。駐車券は係員が利用者に返却してもよく回収してもよい。
【００３３】
ステップ１４で、領収書釦が押下されたか否かを判定する。押下された場合は、プリンタ２１で印字して領収書を発行する。
ステップ１５で、音声案内ユニット３４で利用者に対して精算完了の案内放送を行う。それ以後は、前述したステップ８〜１０の動作になる。
【００３４】
かかる第１実施形態の構成によれば、出場猶予時間を超過して未精算分を支払わなければならない場合に、出場判定機４に駐車券を挿入した後、また、駐車券を係員に手渡さなければならないという従来のような煩わしさを解消でき、この種の駐車場の出場処理が一層スムーズになる。また、ディスプレイ２３と時刻・料金表示部の両方で未精算金額を表示するので、係員と利用者の双方が未精算金額を確認できるので、料金支払いに伴うトラブルの発生を抑制できる。また、係員用ユニット１１側に料金計算機能を設けたことにより、料金計算のために係員が操作する現状の計算機７（図６参照）に出場判定機の機能を追加するだけで容易に製造できる利点がある。また、係員用ユニット１１と利用者用ユニット１２で構成することにより、各ユニット１１，１２をコンパクトな構成にでき、出場処理装置１０全体をコンパクトにできる。また、料金計算機能を係員用ユニット１１側に設けたことにより、現状の係員操作用の計算機７に出場判定機能を付加するだけでよく、現状からの変更が容易である。
【００３５】
次に、図５に本発明の出場処理装置の第２実施形態の構成を示し説明する。
本実施形態は、利用者用ユニット１２の制御部３８に料金計算機能を付加し、係員用ユニット１１側をプリンタ２１、ディスプレイ２３及びキーボード２４だけとし、利用者用ユニット１２の制御部３８にプリンタ２１を接続し、Ｉ／Ｏユニット３９を介してディスプレイ２３及びキーボード２４を利用者用ユニット１２の制御部３８に接続する構成とした。
【００３６】
かかる第２実施形態は、第１実施形態とハード構成が異なるだけであり、出場処理動作は図４のフローチャートで示した第１実施形態の処理動作と同様であるので説明は省略する。
【００３７】
かかる第２実施形態の構成によれば、料金計算機能を利用者用ユニット１２に設けたことにより、係員用ユニット１１の構成が一般的なキャッシュレジスタと同様な簡単なハード構成となり、係員用ユニット１１を簡素な構成にできる利点がある。
【００３８】
尚、第２実施形態とは逆に、利用者側ユニット１２の制御部３８やＩ／Ｏユニット３９等を省略し、利用者用ユニット１２の判定機能やゲート制御機能を係員用ユニット１１側の制御部２７に付加し、利用者用ユニット１２を、例えば券処理ユニット３２、音声案内ユニット３４及び券搬送ユニット３５で構成するようにしてもよい。
【００３９】
また、駐車券類としては、駐車券の他に定期券やプリペードカード等も使用可能であることは言うまでもない。
【００４０】
【発明の効果】
以上説明したように本発明の駐車場の出場処理装置によれば、従来の出場判定機の機能と係員が操作する計算機の機能を一体化したことにより、事前精算後に出場猶予時間を超過した場合でも、駐車券類の挿入動作だけで未精算分の料金精算が可能となり、駐車券類を係員に手渡す手間が省け、この種の駐車場における出場時の煩わしさを解消できる。従って、出場がより一層スムーズとなり、駐車場の使い勝手を向上できる。また、係員用と利用者用にそれぞれ表示部を設けたので、未精算分の料金等が双方で確認でき、出場時のトラブルの発生を防止できる。
【００４１】
出場処理装置を係員用ユニットと利用者用ユニットで構成すれば、各ユニットをコンパクトにでき、出場処理装置全体をコンパクトにできる。そして、料金計算機能を係員用ユニット側に設ければ、現状の係員操作用の計算機に出場判定機能を付加するだけでよく、現状からの変更が容易にできる。また、料金計算機能を利用者用ユニット側に設ければ、係員用ユニットの構成を一般的なキャッシュレジスタと同様な簡単なハード構成にできる。
【図面の簡単な説明】
【図１】本発明に係る出場処理装置の第１実施形態を適用した駐車場の概略図
【図２】同上第１実施形態の出場処理装置の構成図
【図３】利用者用ユニットの券挿入部、時刻・料金表示部及び音声案内ユニットの取付け状態の説明図
【図４】出場処理動作を説明するフローチャート
【図５】本発明に係る出場処理装置の第２実施形態の構成図
【図６】従来の駐車場の概略図
【符号の説明】
１    駐車場
２    出口
３    事前精算機
５    料金徴収所
６    出場ゲート
１０    出場処理装置
１１    係員用ユニット
１２    利用者用ユニット
２３    ディスプレイ
３４    時刻・料金表示部
【図１】
2005031969.tif 000003
【図２】
2005031969.tif 000004
【図３】
2005031969.tif 000005
【図４】
2005031969.tif 000006
【図５】
2005031969.tif 000007
【図６】
2005031969.tif 000008